(57)【要約】【課題】冷房時の省エネルギー化を図るために水の蒸発によって外壁を冷却する際、外壁に供給した水が建物内部の室内に漏れ出すことのない建物を提供すること。【解決手段】水の蒸発によって冷却可能な外壁３を備える建物であって、外壁３が、室内側に配置される一次外壁４と、一次外壁４に対向して室外側に配置される二次外壁５とを備え、一次外壁４と二次外壁５との間に空気流通路６を設けており、空気流通路６と接する二次外壁５の内側表面に給水する給水手段９を設け、空気流通路６に外気を導入する給気部７と、空気流通路６内の空気を外方に排出する排気部８とを設けてある建物。【選択図】図１
2009150079.tif 000002
【特許請求の範囲】
【請求項１】
水の蒸発によって冷却可能な外壁を備える建物であって
前記外壁が、室内側に配置される一次外壁と、前記一次外壁に対向して室外側に配置される二次外壁とを備え、前記一次外壁と前記二次外壁との間に空気流通路を設けており、前記空気流通路と接する前記二次外壁の内側表面に給水する給水手段を設け、前記空気流通路に外気を導入する給気部と、前記空気流通路内の空気を外方に排出する排気部とを設けてある建物。
【請求項２】
前記二次外壁が、保水性を有するものである請求項１に記載の建物。
【請求項３】
前記二次外壁に給水された水が、前記二次外壁の外側表面からも蒸発可能に構成されている請求項１又は２のいずれか１項に記載の建物。
【請求項４】
前記二次外壁内に、上下に間隔を隔てて複数の不透水層が設けられている請求項１〜３のいずれか１項に記載の建物。
【請求項５】
前記二次外壁の内側表面に水を供給する水溜め部を、上下に間隔を隔てて複数設けられている請求項１〜４のいずれか１項に記載の建物。
【請求項６】
前記二次外壁の内側表面に、親水層を設けてある請求項１〜５のいずれか１項に記載の建物。
【請求項７】
前記給気部及び前記排気部に、開閉自在なダンパーが設けられている請求項１〜６のいずれか１項に記載の建物。
【発明の詳細な説明】
【技術分野】
【０００１】
本発明は、水の蒸発によって冷却可能な外壁を備える建物に関するものである。
【背景技術】
【０００２】
外壁の水による蒸発冷却効果を利用して冷房時の省エネルギー化を図る従来の建物としては、例えば、特許文献１の図１に開示されるように、外壁の内壁面側部分を構成する金属発泡体と、外壁の外壁面側部分を構成する断熱材との間に空気を循環させる空気通路を形成し、前記金属発泡体内に水を染み込ませて、染み込ませた水が、空気通路を循環する外気と接触して蒸発することにより蒸発熱が奪われて金属発泡体が冷却され、当該金属発泡体が面冷房装置となって建物室内を冷房し得る建物が知られている。
【０００３】
【特許文献１】特開平６−１９３９０１号公報
【発明の開示】
【発明が解決しようとする課題】
【０００４】
しかしながら、特許文献１の建物においては、その金属発泡体に染み込ませた水が、建物内部の室内に漏れ出す虞があり、金属発泡体に、空気を通すが水を通さない通気性防水シート等を設けることによって防水を図らなければならない場合があった（特許文献１の段落０００９参照）。
【０００５】
本発明は、上記実情に鑑みてなされたものであって、その目的は、冷房時の省エネルギー化を図るために水の蒸発によって外壁を冷却する際、外壁に供給した水が建物内部の室内に漏れ出すことのない建物を提供するものである。
【課題を解決するための手段】
【０００６】
上記の目的を達成するため、本発明のうちの請求項１に記載の発明では、水の蒸発によって冷却可能な外壁を備える建物であって
前記外壁が、室内側に配置される一次外壁と、前記一次外壁に対向して室外側に配置される二次外壁とを備え、前記一次外壁と前記二次外壁との間に空気流通路を設けており、前記空気流通路と接する前記二次外壁の内側表面に給水する給水手段を設け、前記空気流通路に外気を導入する給気部と、前記空気流通路内の空気を外方に排出する排気部とを設けてあることを特徴とする。
【０００７】
〔作用及び効果〕
本発明によれば、二次外壁の内側表面から水が蒸発して、空気流通路から排出されることによって、二次外壁及び建物の温度が下がり、夏季の冷房時に使用するエネルギーを節約することができる。
また、室内側の一次外壁に水を供給しないので、建物内部への漏水は生じず、防水シート等を設ける必要がない。
【０００８】
本発明のうちの請求項２に記載の発明では、前記二次外壁が、保水性を有することを特徴とする。
〔作用及び効果〕
本発明によれば、二次外壁が保水性を有するため、供給された水が二次外壁に保持され易く、水の利用効率が向上し得る。
【０００９】
本発明のうちの請求項３に記載の発明では、前記二次外壁に給水された水が、前記二次外壁の外側表面からも蒸発可能に構成されていることを特徴とする。
〔作用及び効果〕
本発明によれば、水の蒸発効率が向上するため、冷却効果をさらに高めることができる。
【００１０】
本発明のうちの請求項４に記載の発明では、前記二次外壁内に、上下に間隔を隔てて複数の不透水層が設けられていることを特徴とする。
〔作用及び効果〕
本発明によれば、二次外壁に供給された水が不透水層に溜まって流下し難くなり、水の利用効率がさらに向上し得る。
【００１１】
本発明のうちの請求項５に記載の発明では、前記二次外壁の内側表面に水を供給する水溜め部を、上下に間隔を隔てて複数設けられていることを特徴とする。
〔作用及び効果〕
本発明によれば、水を、二次外壁の内側表面に均一に供給し易くなる。
【００１２】
本発明のうちの請求項６に記載の発明では、前記二次外壁の内側表面に、親水層を設けてあることを特徴とする。
〔作用及び効果〕
本発明によれば、二次外壁の内側表面に水を均一に供給するための構成を簡素化することができる。
【００１３】
本発明のうちの請求項７に記載の発明では、前記給気部及び前記排気部に、開閉自在なダンパーが設けられていることを特徴とする。
〔作用及び効果〕
本発明によれば、ダンパーを閉じることによって、空気流通路が閉塞された断熱空間となり、冷房を必要としない季節には断熱効果が期待できるので、冬季の暖房時に使用するエネルギーを節約することができる。
【発明を実施するための最良の形態】
【００１４】
以下に本発明の実施の形態を図面に基づいて説明する。
〔実施形態〕
図１は、本発明の建物１の実施形態の一例の概略を、その外壁部分を中心として示した縦断面図である。尚、図１中で、実線の矢印（Ｗ）は、水の流れを示しており、白抜きの矢印（Ａ）は、外気の流れる方向を示しており、破線の矢印（Ｅ）は、二次外壁５から蒸発した水蒸気の流れる方向を示している。
【００１５】
建物１は、冷暖房設備等を設置し得、人が居住可能な室内空間２と、外界と室内空間２とを仕切る外壁３とを備えて構成されている。
外壁３は、室内側に配置される一次外壁４と、一次外壁４に対向して室外側に配置される二次外壁５とを備え、一次外壁４と二次外壁５との間に、外気が流通し得る空気流通路６を設けている。
外気は、煙突効果によって、二次外壁５の下側に設けられている給気部７から導入され、空気流通路６内を通り、同じく二次外壁５の上側に設けられている排気部８から、建物１の外方に排出される。
【００１６】
空気流通路６内には、空気流通路６と接する二次外壁５の内側表面５ａに給水可能な給水手段９が設けられている。
給水手段９は、二次外壁５の内側表面５ａに沿って上下に間隔を隔てて複数設置される噴水部１０と、噴水部１０へ水を導く導水管１１を備えて構成されている。導水管１１は、水を安定供給可能な図示しない給水源（例えば、水道水が流通する水道管、又は雨水を貯水した貯水槽等）に接続されており、給水源からの水が、導水管１１を通って噴水部１０に導入されると、噴水部１０は、その水を二次外壁５の内側表面５ａにミスト状に噴霧して、二次外壁５の内側表面５ａに均一に水を供給し得るように構成されている。
【００１７】
本発明の建物１においては、給水手段９によって供給された水（Ｗ）が、二次外壁５の内側表面５ａから蒸発し、空気流通路６を通って排気部８から外気と共に排出される。このとき、蒸発熱が奪われて二次外壁５が冷却されるので、建物１の温度が下がり、夏季の冷房時に使用するエネルギーを節約することができる。
また、本発明の建物１においては、二次外壁５の内側表面５ａに水を給水しており、室内側の一次外壁４に水を供給しないので、建物１内部の室内空間２への漏水は生じず、防水シート等を設ける必要もない。
【００１８】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【００１９】
〔別実施形態〕
１．一次外壁４、二次外壁５、及び空気流通路６を備える上記実施形態の外壁構成を、建物１の外壁３全体ではなく、外壁３の一部分に適用するようにしても良い。
２．上記実施形態において、二次外壁５を構成する材料としては、保水性を有する材料（例えば、素焼きレンガ等の多孔質性材料等）が好ましい。二次外壁５が保水性を有する場合、供給された水が二次外壁５に保持され易く、水の利用効率が向上し得る。
３．図２に示すように、上記実施形態において、二次外壁５に給水された水が、二次外壁５の外側表面５ｂからも蒸発し得るように構成しても良く、このような構成とすれば、水の蒸発効率が向上するため、冷却効果をさらに高めることができる
４．図３に示すように、上記実施形態において、二次外壁５内に、上下に間隔を隔てて複数の不透水層１２を設けるようにしても良く（例えば、二次外壁５を、その下面のみを釉薬処理して焼成した素焼きレンガを積み上げて構成する）、このような構成とすれば、二次外壁５に供給された水が不透水層１２に溜まって流下し難くなり、水の利用効率がさらに向上し得る。
５．図４に示すように、上記実施形態において、二次外壁５の内側表面５ａに水を供給する水溜め部１３を、上下に間隔を隔てて複数設けるようにしても良く、このような構成とすれば、給水部から供給される水のうち、二次外壁５に吸収されずに流下する水が、水溜め部１３に補足され得るので、水の利用効率がさらに向上し得ると共に、二次外壁５の内側表面５ａに対して、さらにより均一に水が供給され得る。尚、水溜め部１３の形態については、図４に示す他、二次外壁５の内側表面５ａに上下に間隔を隔てて窪みを設けるなどして構成しても良い（図示せず）。
６．図５に示すように、上記実施形態において、二次外壁５の内側表面５ａに、二次外壁５よりも高い親水性を有する親水層１４を設けるようにしても良く、このような構成とすれば、二次外壁５の内側表面５ａに水を均一に供給するための構成を簡素化することができる。
尚、本実施形態における親水層１４とは、二次外壁５と比べて、その表面に接触した水の接触角がより小さく、水に対してより高い濡れ性を示す層を意味しており、例えば、アルキルシリケート化合物（エチルシリケートの重合体、若しくはメチルシリケートの重合体等）、フッ素親水塗料、又は酸化チタン等を二次外壁５の内側表面５ａに塗布することによって形成することができる。
７．図６（ａ）及び（ｂ）に示すように、上記実施形態において、給気部７及び排気部８に、開閉自在なダンパー１５を設けるようにしても良い。このような構成とすれば、図６（ａ）に示すように、夏季にダンパー１５を開けることによって、上記実施形態が構成されて、夏季の冷房時に使用するエネルギーを節約することができる。また、図６（ｂ）に示すように、冬季にダンパー１５を閉じることによって、空気流通路６による断熱効果が得られるので、冬季の暖房時に使用するエネルギーを節約することができる（尚、冬季においては水（Ｗ）の供給を停止する）。
８．給水部９は、上記実施形態の構成に限定されるものではなく、単に二次外壁５の上端部に水を供給するような簡素な構成としても良い。
９．上記実施形態において、二次外壁５は、板ガラスのような水を通さない材料で形成されてあっても良く、特に板ガラスで形成してあれば建物の意匠設計上特殊な外観が得られる。
【図面の簡単な説明】
【００２０】
【図１】本発明の建物の実施形態の一例の概略を、その外壁部分を中心として示した縦断面図
【図２】本発明の建物の別実施形態の概略を、その外壁部分を中心として示した縦断面図
【図３】本発明の建物の別実施形態の概略を、その外壁部分を中心として示した縦断面図
【図４】本発明の建物の別実施形態の概略を、その外壁部分を中心として示した縦断面図
【図５】本発明の建物の別実施形態の概略を、その外壁部分を中心として示した縦断面図
【図６】本発明の建物の別実施形態の概略を、その外壁部分を中心として示した縦断面図
【符号の説明】
【００２１】
１  建物
２  室内空間
３  外壁
４  一次外壁
５  二次外壁
６  空気流通路
７  給気部
８  排気部
９  給水手段
１０  噴水部
１１  導水管
１２  不透水層
１３  水溜め部
１４  親水層
１５  ダンパー
【図１】
2009150079.tif 000003
【図２】
2009150079.tif 000004
【図３】
2009150079.tif 000005
【図４】
2009150079.tif 000006
【図５】
2009150079.tif 000007
【図６】
2009150079.tif 000008